(57)【要約】【課題】内容物を塗布対象物に塗布する用途に用いることができるレフィル容器及びこれを用いた塗布容器を提供する。【解決手段】外装容器５０に取換え可能に装着して使用されるレフィル容器１であって、容器本体１０と、容器本体１０の口部１１に装着された保持部材２０と、保持部材２０に回転自在に保持された塗布ボール３０と、口部１１に装着されて塗布ボール３０を覆う封止キャップ４０と、を有し、封止キャップ４０は、封止キャップ４０を口部１１に対して取外し不能とする被係止部４２ｃと、周壁４２に設けられた一対の弱化部４４と、摘み片４５とを有し、摘み片４５を引上げ操作することにより封止キャップ４０が口部１１から取外し可能となることを特徴とするレフィル容器１、及び、レフィル容器１とレフィル容器１が取換え可能に装着された外装容器５０とを有する塗布容器１００。【選択図】図１
2018177330.tif 000002
【特許請求の範囲】
【請求項１】
外装容器に取換え可能に装着して使用されるレフィル容器であって、
内容物が充填されている容器本体と、
前記容器本体の口部に装着された保持部材と、
前記保持部材に回転自在に保持された塗布ボールと、
天壁と周壁とを備えた有頂筒状に形成され、前記口部に装着されて前記塗布ボールを覆う封止キャップと、を有し、
前記封止キャップは、
前記周壁の内周面に設けられ、前記口部の外周面に設けられた係止部に係止されて該封止キャップを前記口部に対して取外し不能とする被係止部と、
それぞれ前記周壁に該周壁の下端から上方に向けて線状に延びて設けられた一対の弱化部と、
前記周壁の一対の前記弱化部の間の部分における下端に設けられた摘み片と、を有し、
前記摘み片を引上げ操作して前記周壁を前記弱化部に沿って周方向に分断することにより、前記封止キャップが前記口部から取外し可能となることを特徴とするレフィル容器。
【請求項２】
前記係止部が前記口部の外周面から突出する突起状に形成され、前記被係止部が前記周壁の内周面から突出して前記係止部にアンダーカット係合する突起状に形成されている、請求項１に記載のレフィル容器。
【請求項３】
前記係止部が雄ねじを有し、前記被係止部が雌ねじを有するとともに、
前記口部と前記封止キャップとの間に、前記封止キャップの前記口部に対する緩み方向への回転を阻止するラチェット機構が設けられている、請求項１に記載のレフィル容器。
【請求項４】
前記保持部材は、前記口部の開口を覆うとともに注出孔が設けられた隔壁と、該隔壁の上面に一体に設けられて前記注出孔を囲う環状突起と、前記隔壁の外周縁から上方に向けて突出する略円筒状の保持壁とを有し、
前記塗布ボールは、前記保持壁の内側に配置され、
前記封止キャップは、前記天壁の下面から突出して設けられて前記塗布ボールを前記環状突起に押し付ける押付け突起を備えている、請求項１〜３の何れか１項に記載のレフィル容器。
【請求項５】
請求項１〜４の何れか１項に記載のレフィル容器と、前記レフィル容器が取換え可能に装着された外装容器とを有することを特徴とする塗布容器。
【請求項６】
前記外装容器は、両端が開口する筒状に形成されており、
該外装容器の両端の少なくとも何れか一方に前記レフィル容器が取換え可能に装着されている、請求項５に記載の塗布容器。
【発明の詳細な説明】
【技術分野】
【０００１】
本発明は、外装容器に取換え可能に装着して使用されるレフィル容器及びこれを用いた塗布容器に関する。
【背景技術】
【０００２】
従来、化粧品や薬品等の内容物を収容する容器として、内容物が充填されているレフィル容器を外装容器に取換え可能に装着した構成のものが知られている。
【０００３】
例えば特許文献１には、内容物が充填されているチューブ状のレフィル容器を外装容器に収容するとともにレフィル容器の口部にポンプを装着し、ポンプを操作することによりレフィル容器に収容されている内容物を吐出させる一方、内容物を使い切った後には、使用済みのレフィル容器を外装容器から取り外して内容物が充填されている新たなレフィル容器に取り換えることができるようにしたレフィル式の容器が記載されている。このようなレフィル式の容器によれば、外装容器を再利用することができるので、そのコストを低減することができる。
【先行技術文献】
【特許文献】
【０００４】
【特許文献１】特開２０１２−１２０５１号公報
【発明の概要】
【発明が解決しようとする課題】
【０００５】
しかしながら、上記従来のレフィル容器のように、ポンプを用いて内容物を吐出させる用途に用いられるチューブ状のレフィル容器や、固形化粧料を収容し、コンパクト容器に装着して使用される皿形状のレフィル容器は知られていたが、内容物を塗布対象物に容易に塗布することができるようにしたレフィル容器は存在していなかった。
【０００６】
本発明は、このような問題点を解決することを課題とするものであり、その目的は、内容物を塗布対象物に塗布する用途に用いることができるレフィル容器及びこれを用いた塗布容器を提供することにある。
【課題を解決するための手段】
【０００７】
本発明のレフィル容器は、外装容器に取換え可能に装着して使用されるレフィル容器であって、内容物が充填されている容器本体と、前記容器本体の口部に装着された保持部材と、前記保持部材に回転自在に保持された塗布ボールと、天壁と周壁とを備えた有頂筒状に形成され、前記口部に装着されて前記塗布ボールを覆う封止キャップと、を有し、前記封止キャップは、前記周壁の内周面に設けられ、前記口部の外周面に設けられた係止部に係止されて該封止キャップを前記口部に対して取外し不能とする被係止部と、それぞれ前記周壁に該周壁の下端から上方に向けて線状に延びて設けられた一対の弱化部と、前記周壁の一対の前記弱化部の間の部分における下端に設けられた摘み片と、を有し、前記摘み片を引上げ操作して前記周壁を前記弱化部に沿って周方向に分断することにより、前記封止キャップが前記口部から取外し可能となることを特徴とする。
【０００８】
本発明のレフィル容器は、上記構成において、前記係止部が前記口部の外周面から突出する突起状に形成され、前記被係止部が前記周壁の内周面から突出して前記係止部にアンダーカット係合する突起状に形成されているのが好ましい。
【０００９】
本発明のレフィル容器は、上記構成において、前記係止部が雄ねじを有し、前記被係止部が雌ねじを有するとともに、前記口部と前記封止キャップとの間に、前記封止キャップの前記口部に対する緩み方向への回転を阻止するラチェット機構が設けられているのが好ましい。
【００１０】
本発明のレフィル容器は、上記構成において、前記保持部材は、前記口部の開口を覆うとともに注出孔が設けられた隔壁と、該隔壁の上面に一体に設けられて前記注出孔を囲う環状突起と、前記隔壁の外周縁から上方に向けて突出する略円筒状の保持壁とを有し、前記塗布ボールは、前記保持壁の内側に配置され、前記封止キャップは、前記天壁の下面から突出して設けられて前記塗布ボールを前記環状突起に押し付ける押付け突起を備えているのが好ましい。
【００１１】
本発明の塗布容器は、上記何れかの構成のレフィル容器と、前記レフィル容器が取換え可能に装着された外装容器とを有することを特徴とする。
【００１２】
本発明の塗布容器は、上記構成において、前記外装容器は、両端が開口する筒状に形成されており、該外装容器の両端の少なくとも何れか一方に前記レフィル容器が取換え可能に装着されているのが好ましい。
【発明の効果】
【００１３】
本発明によれば、内容物を塗布対象物に塗布する用途に用いることができるレフィル容器及びこれを用いた塗布容器を提供することができる。
【図面の簡単な説明】
【００１４】
【図１】本発明の一実施の形態であるレフィル容器の半断面図である。
【図２】図１に示す封止キャップの平面図である。
【図３】図１に示すレフィル容器を開封する様子を示す半断面図である。
【図４】図１に示すレフィル容器の変形例の要部を示す半断面図である。
【図５】図４に示す封止キャップの平面図である。
【図６】図４に示す変形例のレフィル容器を開封する様子を示す半断面図である。
【図７】本発明の一実施の形態である塗布容器の半断面図である。
【図８】図７に示す塗布容器の分解図である。
【図９】図７に示す塗布容器の使用状態を示す側面図である。
【図１０】図７に示す塗布容器の変形例の半断面図である。
【発明を実施するための形態】
【００１５】
以下、図面を参照して、本発明をより具体的に例示説明する。
【００１６】
なお、本明細書、特許請求の範囲、要約書及び図面においては、「上方」及び「下方」は、図１に示す状態を基準とした「上方」及び「下方」を意味するものとする。
【００１７】
図１において、符号１は、本発明の一実施の形態であるレフィル容器を示す。このレフィル容器１は、図７に示すように、外装容器５０に取換え可能に装着して使用され、外装容器５０とともに本発明の一実施の形態である塗布容器１００を構成するものである。すなわち、レフィル容器１は、外装容器５０に装着して使用されるとともに、その使用後には外装容器５０から取り外され、新たなレフィル容器１に取り換えられるものである。
【００１８】
図１に示すように、レフィル容器１は容器本体１０を有している。容器本体１０は、合成樹脂材料により有底筒状に形成され、その内部空間Ｓには、例えば化粧料や薬品等の液状の内容物Ｍ１が充填されている。容器本体１０の上端側は円筒状の口部１１となっており、内容物Ｍ１は内部空間Ｓから口部１１を通って容器本体１０の外部に流出することができる。
【００１９】
口部１１の外周面には係止部１１ａが一体に設けられている。係止部１１ａは、口部１１の外周面から径方向外側に向けて突出する突起状に形成され、その断面形状は、上方から下方に向けて徐々に口部１１の外周面からの突出高さが高くなるとともに下端面が口部１１の外周面に対して略垂直となるくさび状となっている。また、係止部１１ａは、口部１１の全周に亘って周方向に延びる環状となっている。
【００２０】
なお、係止部１１ａは、口部１１の全周に亘って周方向に延びる環状に限らず、口部１１の周方向に間隔を開けて断続的に並ぶ複数の突起として構成することもできる。
【００２１】
容器本体１０の口部１１の下方側にはキャップ装着部１２が一体に設けられている。キャップ装着部１２は口部１１よりも大径の円筒状に形成されており、その外周面には雄ねじ１２ａと環状の突起１２ｂとが一体に設けられている。
【００２２】
容器本体１０のキャップ装着部１２の下方側にはストッパ部１３が一体に設けられている。ストッパ部１３はキャップ装着部１２よりもさらに大径の円筒状に形成されており、その下端面は容器本体１０の軸方向に略垂直なストッパ面１３ａとなっている。
【００２３】
容器本体１０のストッパ部１３の下方側には、外面が正八角形となる角筒状の回止め部１４が一体に設けられ、この回止め部１４の下方側には有底円筒状の胴部１５が一体に設けられている。胴部１５の上端側には回止め部１４に対して間隔を空けて環状の突起部１５ａが一体に設けられ、その底部１５ｂは上方に向けて僅かに湾曲する形状となっている。
【００２４】
容器本体１０の口部１１には保持部材２０が装着されている。保持部材２０は合成樹脂製となっており、口部１１の開口を覆う隔壁２１を有している。隔壁２１の軸心には当該隔壁２１を貫通する注出孔２１ａが設けられており、容器本体１０の内部空間Ｓに充填されている内容物Ｍ１は注出孔２１ａを通って容器本体１０の外部に注出されるようになっている。
【００２５】
隔壁２１の下面には、隔壁２１から下方に向けて突出する筒状壁２２が一体に設けられ、この筒状壁２２の下端には複数本（図示する場合では２本）の係止脚２３が周方向に間隔を空けて一体に設けられている。係止脚２３の下端外周面には突起２３ａが設けられており、隔壁２１の外周縁が口部１１の開口端に配置され、筒状壁２２が口部１１の内周面に嵌合するとともに、突起２３ａが口部１１の下端（口部１１とキャップ装着部１２との間の段差部分）に係止されることで、保持部材２０は口部１１に抜け止め保持されている。このような構成により、筒状壁２２及び係止脚２３を口部１１の開口から挿入して押し込むだけの簡単な操作で、保持部材２０を確実に口部１１に装着することができる。
【００２６】
隔壁２１の上面には環状突起２４が一体に設けられている。環状突起２４は隔壁２１の上面から所定の高さで突出し、注出孔２１ａの周囲を全周に亘って囲っている。また、隔壁２１の外周縁には、当該外周縁から上方に向けて突出する保持壁２５が一体に設けられている。保持壁２５は略円筒状に形成され、その内周面は凹形状に湾曲している。
【００２７】
保持壁２５の内側には塗布ボール３０が配置されている。塗布ボール３０は、例えば合成樹脂材料により、保持壁２５の内周面の凹形状に対応した直径の球状に形成されており、保持壁２５により保持されて当該保持壁２５の内側で回転自在となっている。また、塗布ボール３０は、環状突起２４の上端に全周に亘って当接する位置と当該環状突起２４から離れる位置との間で、保持壁２５の内側において環状突起２４に接近、離反する方向に僅かに移動自在となっている。さらに、塗布ボール３０は、保持壁２５の内側での位置に拘わらず常にその一部が保持壁２５の上端から外部に突出しており、当該突出部分において塗布対象物に接触することができる。
【００２８】
塗布ボール３０が容器本体１０に対して下方側に位置するようにレフィル容器１を倒立姿勢とすると、塗布ボール３０が環状突起２４から離れ、注出孔２１ａから注出された内容物Ｍ１が塗布ボール３０と保持壁２５との隙間２６に供給される。この状態で塗布ボール３０を塗布対象物に沿って移動させて当該塗布対象物上で回転させると、隙間２６内の内容物Ｍ１が塗布ボール３０の表面に付着し、当該付着した内容物Ｍ１が塗布ボール３０の回転により塗布対象物に塗布される。内容物Ｍ１の塗布対象物への塗布量は、塗布ボール３０を塗布対象物に沿って移動させたときに当該塗布ボール３０と保持壁２５の先端部分との間に生じる隙間を適切な大きさにすることで適切な量となるように調整されている。このように、塗布ボール３０は所謂ロールオン式の塗布具となっている。
【００２９】
一方、塗布ボール３０を塗布対象物から離間させると、内容物Ｍ１は塗布ボール３０と保持壁２５との隙間２６に保持され、外部に流出することはない。
【００３０】
レフィル容器１を未使用状態に封止するために、口部１１には封止キャップ４０が装着されている。封止キャップ４０は、合成樹脂材料により天壁４１と周壁４２とを備えた有頂円筒状に形成されており、口部１１に上方側から被せられて、口部１１と塗布ボール３０とを密封状態とするように覆っている。容器本体１０の口部１１と塗布ボール３０とを封止キャップ４０で覆って密封する構成とすることにより、このレフィル容器１を、未使用状態のまま、内容物Ｍ１の劣化を抑制しつつ、しかも内容物Ｍ１の漏れ出しを生じさせることなく流通させることができる。
【００３１】
周壁４２は、天壁４１の外周縁に一体に連なる円筒状の小径部４２ａと小径部４２ａよりも外径が大きい円筒状に形成されて小径部４２ａの下方に一体に連なる大径部４２ｂとを有しており、小径部４２ａは保持壁２５の外側を覆い、大径部４２ｂは口部１１の外側を覆うようになっている。
【００３２】
図１、図２に示すように、大径部４２ｂの下端側の内周面には、３つの被係止部４２ｃが一体に設けられている。３つの被係止部４２ｃは、それぞれ大径部４２ｂの内周面から径方向内側に突出する突起状に形成されており、その断面形状は略半球状となっている。また、被係止部４２ｃは、それぞれ所定の長さで周方向に延びるとともに、互いに周方向に間隔を空けて配置されている。
【００３３】
封止キャップ４０は口部１１に上方側から打栓して装着され、図１に示すように、被係止部４２ｃは、それぞれ容器本体１０の口部１１に設けられた係止部１１ａにアンダーカット係合により係止されている。このとき、上述のように係止部１１ａは断面くさび状に形成されているので、被係止部４２ｃを係止部１１ａに容易にアンダーカット係合させつつ確実にアンダーカット係合させることができる。そして、被係止部４２ｃが係止部１１ａにアンダーカット係合（係止）されることにより、封止キャップ４０は引抜き操作等によっては口部１１から取外し不能となっている。
【００３４】
このように、封止キャップ４０を、容器本体１０の口部１１に設けられた係止部１１ａに被係止部４２ｃをアンダーカット係合させて口部１１に係止させる構成としたことにより、封止キャップ４０や口部１１の構成を簡素化しつつ、打栓による簡単な作業で封止キャップ４０を口部１１に装着することを可能として、このレフィル容器１のコストを低減することができる。
【００３５】
封止キャップ４０の天壁４１の下面には押付け突起４３が一体に設けられている。押付け突起４３は、円環状に形成されて天壁４１の下面から下方に向けて突出しており、その下端において塗布ボール３０に当接して塗布ボール３０を環状突起２４に押し付けている。したがって、封止キャップ４０が口部１１に装着されてレフィル容器１が未使用状態に封止された状態では、塗布ボール３０が押付け突起４３によって環状突起２４に押し付けられることにより、注出孔２１ａと隙間２６との間が液密にシールされ、内容物Ｍ１が塗布ボール３０と保持壁２５との隙間を通って外部すなわち封止キャップ４０の内部に漏れ出すことが防止される。これにより、レフィル容器１を使用状態とするために封止キャップ４０を口部１１から取り外したときに、不意に内容物Ｍ１が外部に漏れ出すことを防止することができる。
【００３６】
封止キャップ４０を口部１１から取り外してレフィル容器１を開封することができるようにするために、封止キャップ４０には、一対の弱化部４４と摘み片４５とが設けられている。
【００３７】
一対の弱化部４４はそれぞれ、図２に示すように、封止キャップ４０の周壁４２の内周面に当該周壁４２の下端から天壁４１にまで達する断面Ｖ字形状の縦溝４６を設けることによって、周壁４２の下端から上方に向けて線状に延びて天壁４１にまで達する薄肉部分として形成されている。これら一対の弱化部４４は、その下端部分が図２中で右側の被係止部４２ｃの周方向の両側端部に隣接しており、そこから口部１１の軸心に沿って真っ直ぐに上方に延びている。
【００３８】
摘み片４５は、封止キャップ４０の周壁４２の、一対の弱化部４４の間の部分における下端に一体に設けられている。図示する場合では、摘み片４５は、一対の弱化部４４の周方向間隔に略等しい幅を有する板状に形成されて周壁４２の下端から径方向外側に向けて延びる板状部４５ａと、板状部４５ａの外側端から上下方向に延びる指掛け片４５ｂとを備えた断面略Ｔ字形状に形成されている。摘み片４５は、指で把持することができる程度の長さないし大きさに形成されている。
【００３９】
図３に示すように、摘み片４５を指等で摘んで上方に向けて引き上げる引上げ操作を行うことで、一対の弱化部４４を周壁４２の下端側から上方に向けて切断（破断）し、周壁４２を一対の弱化部４４に沿って周方向に分断することができる。摘み片４５が引上げ操作されて周壁４２が周方向に分断されると、周壁４２の摘み片４５が設けられた部分における被係止部４２ｃの係止部１１ａへのアンダーカット係合が解除されるとともに、周壁４２の下端部分が拡径方向に容易に弾性変形できる状態となって他の被係止部４２ｃの係止部１１ａへのアンダーカット係合も解除可能となるので、封止キャップ４０を口部１１から容易に取り外すことができる。そして、封止キャップ４０を口部１１から取り外すことで、レフィル容器１を、塗布ボール３０によって内容物Ｍ１を塗布対象物に塗布可能な使用状態とすることができる。
【００４０】
このとき、摘み片４５を一対の弱化部４４の周方向間隔に略等しい幅を有する板状部４５ａと指掛け片４５ｂとを備えた構成としたので、引上げ操作時における指の滑りを指掛け片４５ｂで抑制しつつ、摘み片４５に加えられた引上げ方向の力を一対の弱化部４４に確実に伝達されるようにして、両方の弱化部４４を容易かつ確実に切断することができる。また、一対の弱化部４４を、それぞれ天壁４１にまで達する長さとしたので、周壁４２を上下方向の全範囲で確実に周方向に分断されるようにして、周壁４２を分断した後における封止キャップ４０の口部１１からの取り外し作業を容易にすることができる。
【００４１】
また、図２に示すように、周壁４２の摘み片４５が設けられていない部分に設けられた一対の被係止部４２ｃを、それぞれ摘み片４５の周方向中心と封止キャップ４０の軸心とを通る線分Ｌを挟んだ両側に配置するようにしたので、周壁４２を分断した後に、これら一対の被係止部４２ｃの係止部１１ａとのアンダーカット係合を解除し易くして、封止キャップ４０の口部１１からの取り外し作業をさらに容易にすることができる。
【００４２】
上記の通り、封止キャップ４０は弱化部４４が切断されることで口部１１から取り外される構成であるので、一旦口部１１から取り外された封止キャップ４０を、再度口部１１に封止状態となるように取り付けることはできない。よって、レフィル容器１が未使用状態のものであるか、あるいは一度封止キャップ４４が取り外されて開封されたものであるかを、目視により容易に確認することができ、これにより、いたずら等によりレフィル容器１が不正に開封されることを抑制することができる。
【００４３】
以上の通りの構成を有することにより、レフィル容器１を、内容物Ｍ１を塗布対象物に塗布する用途に用いることができるレフィル容器として構成することができる。
【００４４】
なお、本実施の形態においては、図２に示すように、一対の弱化部４４を、被係止部４２ｃの周方向の両側端部に隣接して設けるようにしているが、被係止部４２ｃの周方向の両側端部から離れた位置に設けるようにしてもよい。
【００４５】
さらに、本実施の形態においては、周壁４２の摘み片４５が設けられていない部分に、一対の被係止部４２ｃを設けるようにしているが、例えば、１つの被係止部４２ｃのみを設けたり、互いに周方向に間隔を空けて並ぶ３つ以上の被係止部４２ｃを設けたりするなど、その個数は適宜変更可能である。
【００４６】
さらに、弱化部４４は、天壁４１に達する長さに限らず、被係止部４２ｃの係止部１１ａに対するアンダーカット係合を解除することができる程度に周壁４２を周方向に分断できる長さであれば、その長さは適宜変更可能である。
【００４７】
さらに、弱化部４４は、断面Ｖ字形状の縦溝４６によって薄肉に形成される形態に限らず、他の断面形状の縦溝によって薄肉に形成するようにしてもよい。また、弱化部４４は、薄肉の形態に限らず、例えば、摘み片４５の引上げ操作によって破断して周壁４２を周方向に分断可能なものであれば、例えば、複数の切欠き孔を互いに間隔を空けて線状に並べた破線状の形態としてもよい。
【００４８】
図４は図１に示すレフィル容器１の変形例の要部を示す半断面図であり、図５は図４に示す封止キャップ４０の平面図であり、図６は図４に示す変形例のレフィル容器１を開封する様子を示す半断面図である。なお、図４〜６においては、前述した部材に対応する部材には同一の符号を付してある。
【００４９】
図１〜図３に示す場合では、容器本体１０の口部１１の外周面に設けられる係止部１１ａは、口部１１の全周に亘って周方向に延びる環状の突起として形成され、封止キャップ４０の周壁４２の内周面に設けられる被係止部４２ｃを打栓によって係止部１１ａにアンダーカット係合させる構成としている。
【００５０】
これに対し、図４〜図６に示す変形例のレフィル容器１では、口部１１の外周面に設けられる係止部１１ａを雄ねじとして構成し、封止キャップ４０の周壁４２の内周面に設けられる被係止部４２ｃを雌ねじに構成するようにしている。そして、雄ねじに構成された係止部１１ａに雌ねじに構成された被係止部４２ｃをねじ結合させることで、封止キャップ４０を容器本体１０の口部１１にねじ結合によって装着するようにしている。
【００５１】
また、図４〜図６に示す変形例のレフィル容器１では、口部１１にねじ結合によって装着された封止キャップ４０を口部１１に対して取外し不能とするために、口部１１と周壁４２との間にラチェット機構４７を設けるようにしている。
【００５２】
ラチェット機構４７は、口部１１の根元部分に全周に亘って並べて設けられた複数のくさび型の歯部４７ａと、周壁４２の下端内周面に全周に亘って並べて設けられた複数のくさび型の歯部４７ｂとをくさび形状の傾斜面が互いに逆向きとなるように噛み合わせた構成となっており、封止キャップ４０を口部１１に対してねじ込む方向に回転させたときには歯部４７ｂが歯部４７ａを乗り越えて回転可能であるが、封止キャップ４０を口部１１に対して緩み方向に回転させたときには歯部４７ｂが歯部４７ａによって係止されて封止キャップ４０の緩み方向への回転が阻止されるものである。したがって、ラチェット機構４７を設けることにより、封止キャップ４０を容器本体１０の口部１１にねじ結合によって装着するようにした構成としても、封止キャップ４０を口部１１に対して取外し不能とすることができる。
【００５３】
なお、ラチェット機構４７としては、上記構成に限らず、口部１１に対する封止キャップ４０の緩み方向への回転を阻止することができる構成のものであれば、種々の構成のものを採用することができる。
【００５４】
このような構成の変形例のレフィル容器１においても、図５に示すように、周壁４２の内周面に、雌ねじに構成された被係止部４２ｃを周方向に分断するように、当該周壁４２の下端から天壁４１にまで達する断面Ｖ字形状の縦溝４６を設けることによって、周壁４２の下端から上方に向けて線状に延びて天壁４１にまで達する薄肉状の一対の弱化部４４が設けられている。したがって、図６に示すように、摘み片４５を指等で摘んで上方に向けて引き上げる引上げ操作を行うことで、一対の弱化部４４を周壁４２の下端側から上方に向けて切断（破断）し、周壁４２を一対の弱化部４４に沿って周方向に分断することができる。そして、周壁４２を周方向に分断することにより、雌ねじに構成された被係止部４２ｃを雄ねじに構成された係止部１１ａから離脱させるとともにラチェット機構４７の歯部４７ａと歯部４７ｂとの噛み合いを解除させることを可能として、封止キャップ４０を口部１１から容易に取り外すことができる。そして、封止キャップ４０を口部１１から取り外すことで、レフィル容器１を、塗布ボール３０によって内容物Ｍ１を塗布対象物に塗布可能な使用状態とすることができる。
【００５５】
このように、封止キャップ４０を容器本体１０の口部１１にねじ結合によって装着するとともにラチェット機構４７により封止キャップ４０を口部１１に対して取外し不能とする構成とすることで、封止キャップ４０を口部１１にねじ込むだけの簡単な操作で封止キャップ４０を口部１１に装着することを可能として、このレフィル容器１のコストを低減することができる。
【００５６】
また、この場合においても、封止キャップ４０は弱化部４４が切断されることで口部１１から取り外される構成であるので、図１〜図３に示すレフィル容器１の場合と同様に、レフィル容器１が未使用状態のものであるか、あるいは一度封止キャップ４４が取り外されて開封されたものであるかを、目視により容易に確認することができ、これにより、いたずら等によりレフィル容器１が不正に開封されることを抑制することができる。
【００５７】
なお、図４〜図６に示す変形例のレフィル容器１にはキャップ装着部１２は設けられておらず、雄ねじに構成された係止部１１ａを、キャップ装着部１２の雄ねじ１２ａとして兼用するようにしている。
【００５８】
図７は本発明の一実施の形態である塗布容器１００の半断面図であり、図８は図７に示す塗布容器１００の分解図であり、図９は図７に示す塗布容器１００の使用状態を示す半断面図である。なお、図７〜９においては、前述した部材に対応する部材には同一の符号を付してある。
【００５９】
次に、図７〜図９を参照しつつ本発明の一実施の形態である塗布容器１００について説明する。
【００６０】
図７に示すように、塗布容器１００は、封止キャップ４０を口部１１から取り外して開封状態としたレフィル容器１を、外装容器５０に装着して構成されている。レフィル容器１は外装容器５０に対して着脱自在すなわち取換え可能に装着されており、外装容器５０に装着された状態で使用されるとともに、内容物Ｍ１を使い切った使用後には、外装容器５０から取り外されて新たなレフィル容器１に取り換えられる。
【００６１】
図７、図８に示すように、外装容器５０は、例えば合成樹脂材料により軸方向の両端が開口する円筒状に形成されている。外装容器５０の外周面には、当該外装容器５０の美観を高めるために、例えば塗装や装飾等を施すことができる。
【００６２】
外装容器５０の両方の開口端から所定範囲における内周面には、それぞれレフィル容器１の回止め部１４に対応した八角形状の内面形状を有する回止め受け部５１が一体に設けられている。また、外装容器５０の、回止め受け部５１よりもさらに奥側の内周面には、当該内周面の全周に亘って延びる環状の抜止め突起５２が一体に設けられている。さらに、外装容器５０の抜止め突起５２よりもさらに奥側に入った部分における内周面は、開口端側における内周面よりも小径に形成されている。
【００６３】
外装容器５０の内部には、軸方向（長手方向）の中間に位置して、回転阻止体５３が装着されている。回転阻止体５３は、例えば合成樹脂材料により円板状に形成されており、その一方の面には外周面が八角形状となる嵌込み部５３ａが一体に設けられている。外装容器５０の軸方向中間位置における内周面には、内側が八角形状の孔となる内向きフランジ５４が一体に設けられており、回転阻止体５３は、一方の面を内向きフランジ５４に軸方向から当接するとともに嵌込み部５３ａが内向きフランジ５４の内側の八角形状の孔に嵌め込まれて外装容器５０の内部の軸方向中間位置に回り止めされた状態で固定されている。
【００６４】
回転阻止体５３の両面には、それぞれ外装容器５０と同軸状に配置された円筒状の筒体５３ｂが一体に設けられている。これら一対の筒体５３ｂは、互いに同形状に形成されて上下に対称配置されている。これらの筒体５３ｂの先端外周面には径方向外側に向けて突出するとともに外周面の全周に亘って延びる円環状の抜止め突起５３ｃが一体に設けられている。さらに、それぞれの筒体５３ｂの根元側における外周面には、それぞれ径方向外側に向けて突出するとともに軸方向に沿って延びるリブ状に形成され、周方向に等間隔に並べて配置された複数の回止め突起５３ｄが一体に設けられている。
【００６５】
封止キャップ４０が口部１１から取り外された開封状態のレフィル容器１は、その胴部１５の側から、外装容器５０の一端側の開口から当該外装容器５０の内部に挿入され、胴部１５が外装容器５０に収容された状態となって外装容器５０に装着される。レフィル容器１の外装容器５０への挿入量ないし挿入位置は、ストッパ部１３のストッパ面１３ａが外装容器５０の開口端に当接することにより規定される。このとき、レフィル容器１の底部１５ｂは、回転阻止体５３の筒体５３ｂに当接することなく、筒体５３ｂに対して軸方向に間隔を空けて配置される。
【００６６】
レフィル容器１が外装容器５０に挿入されると、レフィル容器１の胴部１５の外周面に設けられた突起部１５ａが抜止め突起５２にアンダーカット係合して、レフィル容器１は外装容器５０に対して抜け止め保持される。また、レフィル容器１の容器本体１０に設けられた回止め部１４が回止め受け部５１に嵌合して、レフィル容器１は外装容器５０に対して回り止めされる。
【００６７】
レフィル容器１には、不使用時に塗布ボール３０を覆うオーバーキャップ６０が装着される。オーバーキャップ６０は、天壁６１と周壁６２とを有する有頂筒状に形成されており、周壁６２の内周面に一体に設けられた雌ねじ６２ａをキャップ装着部１２の雄ねじ１２ａにねじ結合させることでレフィル容器１に着脱自在に装着されている。また、オーバーキャップ６０がレフィル容器１に装着されると、周壁６２の下端内周面にキャップ装着部１２の突起１２ｂが当接する。さらに、オーバーキャップ６０の天壁６１の下面には円環状の押付け突起６３が一体に設けられている。この押付け突起６３は、封止キャップ４０の押付け突起４３と同様の機能を有するものであり、その下端において塗布ボール３０に当接して塗布ボール３０を環状突起２４に押し付けている。したがって、オーバーキャップ６０がレフィル容器１に装着された状態では、塗布ボール３０が押付け突起６３によって環状突起２４に押し付けられることにより、注出孔２１ａと隙間２６との間が液密にシールされ、内容物Ｍ１が塗布ボール３０と保持壁２５との隙間２６を通ってオーバーキャップ６０の内部に漏れ出すことが防止される。これにより、塗布容器１００を使用するためにオーバーキャップ６０をレフィル容器１から取り外したときに、不意に内容物Ｍ１が外部に漏れ出すことを防止することができる。
【００６８】
塗布容器１００は、塗布ボール３０を塗布具とした塗布容器１００として使用することができる。すなわち、図９に示すように、レフィル容器１からオーバーキャップ６０を取り外し、外装容器５０を把持して塗布ボール３０が容器本体１０に対して下方側に位置するように塗布容器１００を倒立姿勢とし、この状態で塗布ボール３０を塗布対象物１１０に押し当てつつ当該塗布対象物１１０に沿って移動させて回転させることで、内容物Ｍ１を塗布対象物１１０に塗布することができる。
【００６９】
外装容器５０の、レフィル容器１が装着された側（端部）とは反対側（反対側の端部）に、他の容器を装着することができる。すなわち、外装容器５０は、その両側にレフィル容器１ないし他の容器を装着することができる構成となっている。図７〜図９には、外装容器５０のレフィル容器１が装着された側とは反対側に、繰出し容器７０を装着した場合を示す。このように、外装容器５０のレフィル容器１が装着された側とは反対側に、レフィル容器１とは異なる種類の容器を装着することにより、塗布容器１００を２通りの用途に使用可能なものとすることができる。
【００７０】
繰出し容器７０は、例えば口紅やリップクリーム等の、棒状に形成された固定の化粧料ないし薬品を内容物Ｍ２として収容するとともに、当該内容物Ｍ２を繰出し容器７０の内部から塗布可能な位置にまで繰り出すことができるものである。
【００７１】
繰出し容器７０は、それぞれ合成樹脂材料により円筒状に形成された内筒体７１と外筒体７２とを有している。外筒体７２は内筒体７１の外側に嵌め込まれ、内筒体７１に対して相対回転自在となっている。なお、外筒体７２の外側には金属材料により円筒状に形成された化粧筒７３が固定されている。
【００７２】
図７に示すように、内筒体７１の上端側内周面には軸方向に沿って延びる複数のリブ状突起７１ａが周方向に間隔を空けて並べて一体に設けられており、これらのリブ状突起７１ａが回転阻止体５３に設けられた回止め突起５３ｄに係合することにより、内筒体７１は外装容器５０に対して回り止めされている。また、内筒体７１の内周面にはリブ状突起７１ａの下方側に位置して内周面の全周に亘って延びる円環状の係止突起７１ｂが一体に設けられており、この係止突起７１ｂが回転阻止体５３の抜止め突起５３ｃにアンダーカット係合することにより、内筒体７１すなわち繰出し容器７０は外装容器５０に抜け止め保持されている。
【００７３】
内筒体７１の軸心を挟んだ対称位置には、それぞれ軸方向の一端側から他方側に向けて螺旋状に延びる螺旋溝７１ｃが設けられている。また、外筒体７２の軸心を挟んだ対称位置には、それぞれ軸方向に沿って一端側から他方側に向けて真っ直ぐに延びる案内溝７２ａが設けられている。
【００７４】
内筒体７１の内側には受け皿７４が配置されている。受け皿７４は棒状の内容物Ｍ２を内側に保持する円筒状の保持壁７４ａと保持壁７４ａの一端に連なる底壁７４ｂとを有し、保持壁７４ａの内周面には内容物Ｍ２を回り止め及び抜け止めするための止めリブ７４ｃが一体に設けられている。
【００７５】
さらに、受け皿７４の保持壁７４ａの外周面の軸心を挟んだ対称位置には、それぞれ断面円形のボス７４ｄが一体に設けられている。これらのボス７４ｄは、それぞれ対応する内筒体７１の螺旋溝７１ｃに該螺旋溝７１ｃに沿って移動自在に係合するとともに、外筒体７２の案内溝７２ａに該案内溝７２ａに沿って移動自在に係合している。したがって、内筒体７１に対して外筒体７２を一方に相対回転させることにより、内容物Ｍ２の先端を内筒体７１の先端から突出させる方向に受け皿７４を内筒体７１に対して軸方向に移動させることができる。反対に、内筒体７１に対して外筒体７２を逆方向に相対回転させることにより、内容物Ｍ２を内筒体７１の内部に収容する方向に受け皿７４を内筒体７１に対して軸方向に移動させることができる。このとき、外装容器５０に装着された状態の内筒体７１は回転阻止体５３によって外装容器５０に回り止めされているので、外装容器５０を把持しつつ外筒体７２を回転操作することにより、内容物Ｍ２を繰り出し、あるいは収容することができる。そして、繰出し容器７０の先端から繰り出された内容物Ｍ２を塗布対象物に押し付けて移動させることで当該塗布対象物に内容物Ｍ２を塗布することができる。
【００７６】
図８に示すように、繰出し容器７０が外装容器５０から取り外された状態では、内筒体７１の全体が外筒体７２の内側に収容され、外筒体７２を内筒体７１に対して相対回転させる操作を行うことは困難であるので、内容物Ｍ２が誤って繰り出されることが防止される。
【００７７】
繰出し容器７０にも、不使用時に内容物Ｍ２を覆うオーバーキャップ８０が装着される。
【００７８】
このような繰出し容器７０も、その先端開口が封止キャップで密封状態に封止されたレフィル容器として構成しておき、封止キャップを取り除いて外装容器５０に装着して使用し、使用後には外装容器５０から取り外されて新たな繰出し容器７０に取り換えられる構成とすることができる。
【００７９】
塗布容器１００は、外装容器５０の一端側にレフィル容器１を装着し、他端側に繰出し容器７０を装着した構成に限らず、図１０に示すように、外装容器５０の両端側にそれぞれレフィル容器１を装着した構成とすることもできる。この場合、それぞれのレフィル容器１を、異なる種類の内容物Ｍ１が充填されたものとすることで、１つの塗布容器１００により２種類の内容物Ｍ１を塗布可能な構成とすることができる。勿論、塗布容器１００は、外装容器５０の少なくとも一方の端部側にレフィル容器１が装着された構成であれば、他端側に装着される容器は上記した繰出し容器７０やレフィル容器１以外の他の容器を装着した構成とすることもできる。このように、外装容器５０のレフィル容器１が装着された側とは反対側に、レフィル容器１とは異なる種類の容器を装着することにより、塗布容器１００を、レフィル容器１と、当該レフィル容器１とは異なる他の容器との２通りの用途に使用可能なものとすることができる。また、必要に応じて外装容器５０の他端側に装着する容器を変更することにより、塗布容器１００を３通り以上の多様な用途に使用可能なものとすることができる。
【００８０】
本発明は前記実施の形態に限定されるものではなく、その要旨を逸脱しない範囲で種々変更可能であることはいうまでもない。
【００８１】
例えば前記実施の形態では、レフィル容器１の容器本体１０は合成樹脂製とされているが、これに限らず、例えばガラス瓶等の他の材質で形成するようにしてもよい。また、レフィル容器１の容器本体１０の形状も、上記したキャップ装着部１２やストッパ部１３、回止め部１４等を有する形状に限らず、胴部１５と口部１１とを有していれば、その形状は種々変更可能である。この場合、口部１１も円筒状に限らず、楕円筒状や角筒状としてもよい。
【００８２】
また、前記実施の形態においては、外装容器５０は両端にそれぞれレフィル容器１を装着可能な構成とされているが、これに限らず、軸方向の一端のみが開口し、他端が閉塞されて一端にのみレフィル容器１を装着可能な構成とすることもできる。
【符号の説明】
【００８３】
１    レフィル容器
１０    容器本体
１１    口部
１１ａ  係止部
１２    キャップ装着部
１２ａ  雄ねじ
１２ｂ  突起
１３    ストッパ部
１３ａ  ストッパ面
１４    回止め部
１５    胴部
１５ａ  突起部
１５ｂ  底部
２０    保持部材
２１    隔壁
２１ａ  注出孔
２２    筒状壁
２３    係止脚
２３ａ  突起
２４    環状突起
２５    保持壁
２６    隙間
３０    塗布ボール
４０    封止キャップ
４１    天壁
４２    周壁
４２ａ  小径部
４２ｂ  大径部
４２ｃ  被係止部
４３    押付け突起
４４    弱化部
４５    摘み片
４５ａ  板状部
４５ｂ  指掛け片
４６    縦溝
４７    ラチェット機構
４７ａ  歯部
４７ｂ  歯部
５０    外装容器
５１    回止め受け部
５２    抜止め突起
５３    回転阻止体
５３ａ  嵌込み部
５３ｂ  筒体
５３ｃ  抜止め突起
５３ｄ  回止め突起
５４    内向きフランジ
６０    オーバーキャップ
６１    天壁
６２    周壁
６２ａ  雌ねじ
６３    押付け突起
７０    繰出し容器
７１    内筒体
７１ａ  リブ状突起
７１ｂ  係止突起
７１ｃ  螺旋溝
７２    外筒体
７２ａ  案内溝
７３    化粧筒
７４    受け皿
７４ａ  保持壁
７４ｂ  底壁
７４ｃ  止めリブ
７４ｄ  ボス
８０    オーバーキャップ
１００    塗布容器
Ｓ    内部空間
Ｍ１    内容物
Ｌ    線分
Ｍ２    内容物
【図１】
2018177330.tif 000003
【図２】
2018177330.tif 000004
【図３】
2018177330.tif 000005
【図４】
2018177330.tif 000006
【図５】
2018177330.tif 000007
【図６】
2018177330.tif 000008
【図７】
2018177330.tif 000009
【図８】
2018177330.tif 000010
【図９】
2018177330.tif 000011
【図１０】
2018177330.tif 000012